【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
ネットワーク側機器に応用されるリソースマッピング方法において、
物理ダウンリンク制御チャネルのリソースマッピング構成情報を決定することと、
前記リソースマッピング構成情報に基づいて仮想リソースブロックを物理リソースブロックにマッピングし、前記リソースマッピング構成情報をユーザ端末に送信することとを含み、
前記リソースマッピング構成情報をユーザ端末に送信することによって、前記ユーザ端末が、リソースの分散的マッピング後に占用される帯域幅を、前記リソースマッピング構成情報の中の構成パラメータを利用して取得し、
ここで、前記リソースマッピング構成情報の中の構成パラメータは、
ダウンリンク帯域幅の利用可能なＶＲＢ数
【数１】
2021501525.tif 000001
、隣接ＶＲＢが対応する物理リソースブロックＰＲＢにマッピングされた後の周波数間隔、ユーザ端末が在圏する伝送帯域幅、スケジューリング対象のデータに占用される帯域幅のうちの少なくとも１つを含む、リソースマッピング方法。
【請求項２】
前記の前記リソースマッピング構成情報をユーザ端末に送信することは、
前記ユーザ端末に割り当てるＢＷＰの構成およびリソース割り当てタイプを前記ユーザ端末に送信することを含み、それによって、前記ユーザ端末が、前記ＢＷＰの構成および前記リソース割り当てタイプに基づいて、複数のリソースマッピング構成方式から１つのリソースマッピング構成方式を選択し、
前記複数のリソースマッピング構成方式は、
予め構成された複数のリソースマッピング構成方式またはＲＲＣシグナリングによって前記ユーザ端末に送信される複数のリソースマッピング構成方式であり、
各リソースマッピング構成方式は、
ＢＷＰの構成とリソース割り当てタイプの組み合わせ毎に対応し、または、
前記の前記リソースマッピング構成情報をユーザ端末に送信することは、
ダウンリンク制御情報によって前記リソースマッピング構成情報を前記ユーザ端末に送信することを含み、それによって、前記ユーザ端末が、前記ダウンリンク制御情報のフォーマットに基づいて、複数のリソースマッピング構成方式から１つのリソースマッピング構成方式を選択し、
前記複数のリソースマッピング構成方式は、
予め構成された複数のリソースマッピング構成方式またはＲＲＣシグナリングによって前記ユーザ端末に送信される複数のリソースマッピング構成方式であり、
各リソースマッピング構成方式は、
フォーマット毎のダウンリンク制御情報に対応し、または、
前記の前記リソースマッピング構成情報をユーザ端末に送信することは、
ダウンリンク制御情報によって前記リソースマッピング構成情報を前記ユーザ端末に送信することを含み、それによって、前記ユーザ端末が、前記ダウンリンク制御情報のフォーマットに基づいて、複数のリソースマッピング構成方式から１つのリソースマッピング構成方式を選択し、
前記複数のリソースマッピング構成方式で、リソースの分散的マッピング後に占用される帯域幅は、
予め割り当てられた帯域幅または実スケジューリング対象リソースの帯域幅であり、
ここで予め割り当てられた帯域幅は、
前記ネットワーク側機器から構成されるか、少なくとも、ダウンリンク帯域幅の利用可能なＶＲＢ数
【数２】
2021501525.tif 000002
、および／または、隣接ＶＲＢが対応する物理リソースブロックＰＲＢにマッピングされた後の周波数間隔、および／または、ユーザ端末が在圏する伝送帯域幅、および／または、スケジューリング対象データに占用される帯域幅とのパラメータから取得される、請求項１に記載のリソースマッピング方法。
【請求項３】
前記の前記リソースマッピング構成情報をユーザ端末に送信することは、
実スケジューリング対象リソースの帯域幅値を前記ユーザ端末に通知することを含み、それによって、前記ユーザ端末が、実スケジューリング対象リソースの帯域幅値に基づいて、複数のリソースマッピング構成方式から１つのリソースマッピング構成方式を選択し、
前記複数のリソースマッピング構成方式は、
予め構成された複数のリソースマッピング構成方式であり、
各リソースマッピング構成方式は、
帯域幅値毎に対応する、請求項１に記載のリソースマッピング方法。
【請求項４】
前記リソースマッピング構成情報の中の構成パラメータは、さらに、
ブロックインターリーバ（Ｂｌｏｃｋ  ｉｎｔｅｒｌｅａｖｅｒ）のインターリーブ粒度
【数３】
2021501525.tif 000003
を含む、請求項１に記載のリソースマッピング方法。
【請求項５】
前記リソースマッピング構成情報は、ＶＲＢ番号からＰＲＢ番号へのマッピング関数またはその番号を含み、
前記マッピング関数の引数は、ＶＲＢ番号を含み、
ここで、ＶＲＢ番号の範囲が
【数４】
2021501525.tif 000004
である、請求項４に記載のリソースマッピング方法。
【請求項６】
前記の前記リソースマッピング構成情報をユーザ端末に送信することは、
前記リソースマッピング構成情報をＬ１シグナリングによって前記ユーザ端末に送信することを含み、それによって、前記ユーザ端末が、複数のリソースマッピング構成方式から１つのリソースマッピング構成方式を選択し、
前記複数のリソースマッピング構成方式は、
予め構成された複数のリソースマッピング構成方式またはＲＲＣシグナリングによって前記ユーザ端末に送信される複数のリソースマッピング構成方式である、請求項５に記載のリソースマッピング方法。
【請求項７】
ユーザ端末に応用されるリソース決定方法において、
ネットワーク側機器から送信される物理ダウンリンク制御チャネルのリソースマッピング構成情報を受信することと、
リソースの分散的マッピング後に占用される帯域幅を、前記リソースマッピング構成情報の中の構成パラメータに基づいて決定することとを含み、
ここで、前記リソースマッピング構成情報の中の構成パラメータは、
ダウンリンク帯域幅の利用可能なＶＲＢ数
【数５】
2021501525.tif 000005
、隣接ＶＲＢが対応する物理リソースブロックＰＲＢにマッピングされた後の周波数間隔、ユーザ端末が在圏する伝送帯域幅、スケジューリング対象のデータに占用される帯域幅のうちの少なくとも１つを含む、リソース決定方法。
【請求項８】
前記のリソースの分散的マッピング後に占用される帯域幅を、前記リソースマッピング構成情報の中の構成パラメータに基づいて決定することの後に、
決定された帯域幅でダウンリンクデータを受信することをさらに含む、請求項７に記載のリソース決定方法。
【請求項９】
前記のネットワーク側機器から送信される物理ダウンリンク制御チャネルのリソースマッピング構成情報を受信することは、
前記ユーザ端末に割り当てるＢＷＰの構成およびリソース割り当てタイプを前記ネットワーク側機器から受信し、前記ＢＷＰの構成および前記リソース割り当てタイプに基づいて、複数のリソースマッピング構成方式から１つのリソースマッピング構成方式を選択することを含み、
前記複数のリソースマッピング構成方式は、
予め構成された複数のリソースマッピング構成方式またはＲＲＣシグナリングによって前記ユーザ端末に送信される複数のリソースマッピング構成方式であり、
各リソースマッピング構成方式は、
ＢＷＰの構成とリソース割り当てタイプの組み合わせ毎に対応し、または、
前記のネットワーク側機器から送信される物理ダウンリンク制御チャネルのリソースマッピング構成情報を受信することは、
リソースマッピング構成情報を付帯したダウンリンク制御情報を前記ネットワーク側機器から受信し、前記ダウンリンク制御情報のフォーマットに基づいて、複数のリソースマッピング構成方式から１つのリソースマッピング構成方式を選択することを含み、
前記複数のリソースマッピング構成方式は、
予め構成された複数のリソースマッピング構成方式またはＲＲＣシグナリングによって前記ユーザ端末に送信される複数のリソースマッピング構成方式であり、
各リソースマッピング構成方式は、
フォーマット毎のダウンリンク制御情報に対応し、または、
前記のネットワーク側機器から送信される物理ダウンリンク制御チャネルのリソースマッピング構成情報を受信することは、
リソースマッピング構成情報を付帯したダウンリンク制御情報を前記ネットワーク側機器から受信し、前記ダウンリンク制御情報のフォーマットに基づいて、複数のリソースマッピング構成方式から１つのリソースマッピング構成方式を選択することを含み、
前記複数のリソースマッピング構成方式で、リソースの分散的マッピング後に占用される帯域幅は、
予め割り当てられた帯域幅または実スケジューリング対象リソースの帯域幅であり、
ここで予め割り当てられた帯域幅は、
前記ネットワーク側機器から構成されるか、少なくとも、ダウンリンク帯域幅の利用可能なＶＲＢ数
【数６】
2021501525.tif 000006
、および／または、隣接ＶＲＢが対応する物理リソースブロックＰＲＢにマッピングされた後の周波数間隔、および／または、ユーザ端末が在圏する伝送帯域幅、および／または、スケジューリング対象データに占用される帯域幅とのパラメータから取得される、請求項７に記載のリソース決定方法。
【請求項１０】
前記のネットワーク側機器から送信される物理ダウンリンク制御チャネルのリソースマッピング構成情報を受信することは、
前記ネットワーク側機器による実スケジューリング対象リソースの帯域幅値を取得し、実スケジューリング対象リソースの帯域幅値に基づいて、複数のリソースマッピング構成方式から１つのリソースマッピング構成方式を選択することを含み、
前記複数のリソースマッピング構成方式は、
予め構成された複数のリソースマッピング構成方式またはＲＲＣシグナリングによって前記ユーザ端末に送信される複数のリソースマッピング構成方式であり、
各リソースマッピング構成方式は、
帯域幅値毎に対応する、請求項７に記載のリソース決定方法。
【請求項１１】
前記リソースマッピング構成情報の中の構成パラメータは、さらに、
ブロックインターリーバ（Ｂｌｏｃｋ  ｉｎｔｅｒｌｅａｖｅｒ）のインターリーブ粒度
【数７】
2021501525.tif 000007
を含む、請求項７に記載のリソース決定方法。
【請求項１２】
前記リソースマッピング構成情報は、ＶＲＢ番号からＰＲＢ番号へのマッピング関数またはその番号を含み、
前記マッピング関数の引数は、ＶＲＢ番号を含み、
ここで、ＶＲＢ番号の範囲が
【数８】
2021501525.tif 000008
である、請求項１１に記載のリソース決定方法。
【請求項１３】
前記のネットワーク側機器から送信される物理ダウンリンク制御チャネルのリソースマッピング構成情報を受信することは、
リソースマッピング構成情報を付帯したＬ１シグナリングを前記ネットワーク側機器から受信することを含み、
前記Ｌ１シグナリングは、複数のリソースマッピング構成方式から１つのリソースマッピング構成方式を選択するように前記ユーザ端末に通知し、
前記複数のリソースマッピング構成方式は、
予め構成された複数のリソースマッピング構成方式またはＲＲＣシグナリングによって前記ユーザ端末に送信される複数のリソースマッピング構成方式である、請求項１２に記載のリソース決定方法。
【請求項１４】
物理ダウンリンク制御チャネルのリソースマッピング構成情報を決定し、前記リソースマッピング構成情報に基づいて仮想リソースブロックを物理リソースブロックにマッピングするための処理モジュールと、
前記リソースマッピング構成情報をユーザ端末に送信するための送信モジュールとを含み、
前記リソースマッピング構成情報をユーザ端末に送信することによって、前記ユーザ端末が、リソースの分散的マッピング後に占用される帯域幅を、前記リソースマッピング構成情報の中の構成パラメータを利用して取得し、
ここで、前記リソースマッピング構成情報の中の構成パラメータは、
ダウンリンク帯域幅の利用可能なＶＲＢ数
【数９】
2021501525.tif 000009
、隣接ＶＲＢが対応する物理リソースブロックＰＲＢにマッピングされた後の周波数間隔、ユーザ端末が在圏する伝送帯域幅、スケジューリング対象のデータに占用される帯域幅のうちの少なくとも１つを含む、ネットワーク側機器。
【請求項１５】
ネットワーク側機器から送信される物理ダウンリンク制御チャネルのリソースマッピング構成情報を受信するための受信モジュールと、
リソースの分散的マッピング後に占用される帯域幅を、前記リソースマッピング構成情報の中の構成パラメータに基づいて決定するための処理モジュールとを含み、
ここで、前記リソースマッピング構成情報の中の構成パラメータは、
ダウンリンク帯域幅の利用可能なＶＲＢ数
【数１０】
2021501525.tif 000010
、隣接ＶＲＢが対応する物理リソースブロックＰＲＢにマッピングされた後の周波数間隔、ユーザ端末が在圏する伝送帯域幅、スケジューリング対象のデータに占用される帯域幅のうちの少なくとも１つを含む、ユーザ端末。